(57)【要約】【課題】回動つまみにおいて、回動抵抗力を調節可能にする。【解決手段】回動つまみに、可変抵抗器の軸に嵌合するつまみと、グリスを充填する円筒形のケースと、前記ケースに回動可能に収納される円板と、前記円板を前記つまみに取り外し可能に固定する固定手段を備える。また、回動つまみを備える電気装置に、可変抵抗器の軸に嵌合するつまみと、グリスを充填する円筒形のケースと、前記ケースに回動可能に収納される円板と、前記円板を前記つまみに取り外し可能に固定する固定手段を備え、前記ケースは凹部を備え、電気装置の回動つまみの取り付け面に前記凹部と嵌合する凸部を備える。【選択図】　図１
2004039797.tif 000002
【特許請求の範囲】
【請求項１】
可変抵抗器の軸に嵌合するつまみと、グリスを充填する円筒形のケースと、前記ケースに回動可能に収納される円板と、前記円板を前記つまみに取り外し可能に固定する固定手段を備えることを特徴とする回動つまみ。
【請求項２】
回動つまみを備える電気装置において、前記回動つまみは、可変抵抗器の軸に嵌合するつまみと、グリスを充填する円筒形のケースと、前記ケースに回動可能に収納される円板と、前記円板を前記つまみに取り外し可能に固定する固定手段を備え、前記ケースは凹部を備え、前記電気装置の回動つまみの取り付け面に前記凹部と嵌合する凸部を備えることを特徴とする電気装置。
【発明の詳細な説明】
【０００１】
【発明の属する技術分野】
本発明は、可変抵抗器の軸の回動操作に用いられる回動つまみ、及び前記回動つまみを備えるオーディオ装置等の電気装置に関する。
【０００２】
【従来の技術】
オーディオ装置等の電気装置において、音量調節等の可変抵抗器の軸を回動させるために、回動つまみが用いられる。
音量調節用の回動つまみは、回動操作をしやすくし、音量を細かく調節しやすくするために、他の用途（トーンコントロール等）の回動つまみに比べて、回動つまみの半径を大きくする場合が多い。
【０００３】
回動つまみの半径を大きくする場合、使用する回動つまみの回動抵抗力（トルク）も大きくすることが要求される。回動抵抗力は、操作者にとって回動操作の重さとして感じられ、回動つまみを取り付ける装置の種類毎に適度な重さのある操作感を得ることが必要とされる。
そのため、回動つまみを取り付ける装置の種類毎に、操作者の手の大きさ、回動つまみの操作感を考慮し、回動つまみの材質、重量を変えることによって回動抵抗力を調節していた。
また、回動つまみの軸と軸受の間にグリスを塗布して回動抵抗力を得る方法がある。
【０００４】
【発明が解決しようとする課題】
従来、回動抵抗力を調節するため、装置の種類毎に回動つまみを変えて使用していた。回動つまみの軸と軸受の間にグリスを塗布する方法では、塗布面積が小さく、大きな回動抵抗力、例えば、大きな半径の回動つまみとして十分な回動抵抗力を得ることができなかった。
本発明は、回動抵抗力を調節することができる回動つまみを提供するものである。
【０００５】
【課題を解決するための手段】
請求項１に記載の回動つまみは、可変抵抗器の軸に嵌合するつまみと、グリスを充填する円筒形のケースと、前記ケースに回動可能に収納される円板と、前記円板を前記つまみに取り外し可能に固定する固定手段を備えるものである。
請求項２に記載の電気装置は、回動つまみを備える電気装置において、前記回動つまみは、可変抵抗器の軸に嵌合するつまみと、グリスを充填する円筒形のケースと、前記ケースに回動可能に収納される円板と、前記円板を前記つまみに取り外し可能に固定する固定手段を備え、前記ケースは凹部を備え、前記電気装置の回動つまみの取り付け面に前記凹部と嵌合する凸部を備えるものである。
【０００６】
【発明の実施の形態】
図１は、本発明の一実施例の回動つまみの構成を示す断面図である。図２、図３は、本実施例の回動つまみの構成を示す分解図である。
回動つまみの構成部品は、略円筒形状のつまみ１、ケース部品２Ｃ、ケース部品２Ｄ、円板部３、パッキング４、パッキング５、ストッパ９である。
【０００７】
以下、組み立て順に説明する。円板部３は、円板上であり中心孔を有し、両面の中心孔の周囲をケース部品２Ｃ、２Ｄの中心孔に挿入するための凸形状としている。円板部３の両面の凸形状周囲に、ケース部品２Ｃ、２Ｄとの隙間をふさぐためのゴム製のパッキング４、５を配置する。
【０００８】
円板部３をケース部品２Ｄに入れた状態でグリス６を入れ、ケース部品２Ｃをケース部品に取り付ける。ケース部品２Ｃ、２Ｄは、円板部３を両側から挟み込んで組み立て、ケース部品２を構成する。ケース部品２Ｃとケース部品２Ｄは、図示しないが外周縁部で係合する構成とし圧入によって取り付け固定される。ここで、円板部３は、グリス６が充填されたケース２内に回動可能に保持される。
ケース部品２Ｃと２Ｄを外す場合、マイナスドライバの先等を差し込み、こじ開ける。又は、ケース部品２Ｃ、２Ｄをビスとナットで止める方法を用いて、グリス６や円板部３の交換をしやすい構成として実施することもできる。
【０００９】
円板部３の中心孔につまみ１を挿入する。つまみ１には凸部１Ａを設け、円板部３には凹部３Ｂを設け、この凸部１Ａと凹部３Ｂの位置を合わせて挿入する。挿入後、つまみ１の凹部１Ｂにゴム製のストッパ９を取り付け、円板部３をつまみ１に固定する。つまみ１、ケース２、円板部３の材質は、プラスチックである。
【００１０】
つまみ１を可変抵抗器７の軸７Ａに同軸に嵌合して固定する。つまみ１は、軸７Ａに図示しない止めネジで固定され、止めネジを外すことによって、軸７Ａから外すことができる。ここで、可変抵抗器７は電気装置内に配置され、電気装置のパネル８の孔に軸７Ａを通し、つまみ１が軸７Ａに嵌合される。
【００１１】
ケース部品２Ｄに備えた凹部２Ａ、２Ｂは、各々、パネル８の凸部８Ａ、８Ｂに嵌合される。従って、ケース２はパネル８に固定され、つまみ１を回動した場合に、ケース２は回動せずに円板部３だけが回動する。
【００１２】
操作者が、つまみ１を回動させると、ケース２内に充填されているグリス６の粘性によって円板部３に回動抵抗力を受け、重みのある操作感を得ることができる。
回動抵抗力は、ケース２内のグリス６の充填量、ケース２内に充填するグリス６の種類によって調節される。
【００１３】
ケース２及び円板部３の半径を変更することにより、回動抵抗力を変更することができる。ケース２及び円板部３の半径を大きくすれば、円板部３のグリスとの接触面積が大きくなり、大きな回動抵抗力を得ることができる。ケース２及び円板部３の半径を小さくすれば、円板部３のグリスとの接触面積が小さくなり、小さな回動抵抗力を得ることができる。
【００１４】
回動抵抗力を、ケース２内のグリスの充填量、ケース２内に充填するグリスの種類によって調節する場合、グリスの充填量や種類を変えたケース２を作成しておき、ケース２の交換によって調節することができる。
ケース２及び円板部３の半径を変更する場合、ケース２及び円板部３をつまみ１から取り外し交換して変更することができる。
【００１５】
本実施例によれば、ケース及び円板部の半径を変更することにより、回動抵抗力を変更することができ、大きな径の回動つまみに対して大きな回動抵抗力を得ることができる。
本実施例によれば、回動つまみに対して回動抵抗力を調節することができるので、同種の回動つまみを装置の種類によって回動抵抗力を変えて使用することができる。
【００１６】
【発明の効果】
本発明の回動つまみ及び電気装置によれば、回動つまみの回動抵抗力を調節することができる。
【図面の簡単な説明】
【図１】本発明の一実施例の回動つまみの構成を示す断面図である。
【図２】本実施例の回動つまみの構成を示す分解図である。
【図３】本実施例の回動つまみの構成を示す分解図である。
【符号の説明】
１　つまみ
１Ａ　凸部
１Ｂ　凹部
２　ケース
２Ａ、２Ｂ　凹部
２Ｃ、２Ｄ　ケース部品
３　円板部
３Ｂ　凹部
４、５　パッキング
６　グリス
７　可変抵抗器
７Ａ　軸
８　パネル
８Ａ、８Ｂ　凸部
９　ストッパ
【図１】
2004039797.tif 000003
【図２】
2004039797.tif 000004
【図３】
2004039797.tif 000005